(57)【要約】【課題】記録媒体に記録された番組の内容を短時間で的確に認識できるようにする。【解決手段】番組を構成する映像信号及び音声信号を非圧縮で記録媒体２０に記録すると共に、映像信号を子画面映像生成部２２で子画面表示可能なように圧縮して子画面記録媒体２３に記録する。記録媒体２０に記録した番組を再生する際に、記録媒体２０から再生中の映像に対して、所定時間づつ先行する複数の子画面の静止画あるいは動画を子画面記録媒体２３から再生して非圧縮映像と共に表示部１７で表示させる。表示された子画面を選択することで、記録媒体２０から再生される映像を選択した子画面に対応するものに切換えると共に、子画面記録媒体２３から再生される子画面映像も、所定時間づつ先行するものに切換える。【選択図】      図１
2004236074.tif 000002
【特許請求の範囲】
【請求項１】
映像信号を入力する映像信号入力手段と、
前記入力された映像信号を記録媒体に記録する記録手段と、
前記記録媒体に記録された映像信号を再生する再生手段と、
前記再生された映像信号を当該映像信号より小さい画面で表示されるように圧縮する圧縮手段と、
前記圧縮された映像信号を記録媒体に記録する圧縮映像信号記録手段と、
前記再生手段による前記記録媒体からの映像信号の再生に同期して、当該再生映像信号に基づく圧縮映像信号を前記記録媒体から再生する圧縮映像信号再生手段と、
前記再生される映像信号と前記圧縮映像信号を合成して両映像信号が同一画面で表示可能となるように処理する処理手段と、
前記処理手段で合成された映像信号を表示に供すべく出力する映像出力手段と、
を具備したことを特徴とする録画再生装置。
【請求項２】
さらに前記記録媒体には映像信号として記録されているが、圧縮映像信号として記録されていない映像信号の有無を検出する検出手段を備え、圧縮映像信号が未記録の場合、前記記録媒体から非圧縮の映像信号を再生してこれを圧縮して前記記録媒体に記録するものであることを特徴とする請求項１に記載の録画再生装置。
【請求項３】
映像信号を入力する映像信号入力手段と、
前記入力された映像信号を記録媒体に記録する記録手段と、
前記入力された映像信号を当該映像信号より小さい画面で表示されるように圧縮する圧縮手段と、
前記圧縮された映像信号を記録媒体に記録する圧縮映像信号記録手段と、
前記記録媒体に記録された映像信号を再生する再生手段と、
前記再生手段によって前記記録媒体から映像信号を再生する際に、当該再生映像信号に基づく圧縮映像信号を前記記録媒体から再生すると共に前記再生される映像信号と前記圧縮映像信号を合成して両映像信号が同一画面で表示可能となるように処理する処理手段と、
前記処理手段で合成された映像信号を表示に供するために出力する映像出力手段と、
を具備したことを特徴とする録画再生装置。
【請求項４】
前記圧縮映像信号は、前記映像信号の再生シーンより常に進んだシーンが表示されるように再生されるものであることを特徴とする請求項１乃至３のいずれかに記載の録画再生装置。
【請求項５】
前記圧縮手段は、前記映像信号を、複数の映像が同時に表示可能となるように圧縮するものであり、前記圧縮映像信号再生手段は、前記圧縮映像信号を一定時間間隔で再生し、前記処理手段はそれら再生された映像信号による映像が所定個数単位で同一画面で表示されるように処理するものであることを特徴とする請求項１乃至４のいずれかに記載の録画再生装置。
【請求項６】
前記圧縮手段は、前記映像信号を、複数の映像が同時に表示可能となるように圧縮するものであり、前記圧縮映像信号記録手段は、前記圧縮された映像信号が非圧縮映像による表示画面の一部を構成するように非圧縮表示画面単位で前記記録媒体に記録するものであることを特徴とする請求項１乃至５のいずれかに記載の録画再生装置。
【請求項７】
非圧縮映像信号を記録媒体に記録するステップと、
記録媒体に記録された映像信号を再生して圧縮し、圧縮映像信号を記録媒体に記録するステップと、
非圧縮映像を記録媒体から再生すると共に、当該非圧縮映像信号の圧縮映像信号を記録媒体から再生して両映像信号を合成するステップと、
合成された映像信号を表示するステップと、
を具備したことを特徴とする録画再生方法。
【請求項８】
非圧縮映像信号を記録媒体に記録するステップと、
前記非圧縮映像信号を圧縮し、当該圧縮映像信号を記録媒体に記録するステップと、
非圧縮映像を記録媒体から再生すると共に、当該非圧縮映像信号の圧縮映像信号を記録媒体から再生して両映像信号を合成するステップと、
合成された映像信号を表示するステップと、
を具備したことを特徴とする録画再生方法。
【発明の詳細な説明】
【０００１】
【発明の属する技術分野】
本発明は、録画再生装置及び録画再生方法に関し、特に記録済みの録画内容を確認することが可能な録画再生装置及び録画再生方法に関する。
【０００２】
【従来の技術】
従来、放送番組を記録する装置としては、ＶＴＲ（Ｖｉｄｅｏ  Ｔａｐｅ  Ｒｅｃｏｒｄｅｒ）が一般に使用されているが、昨今では、ＨＤＤ（Ｈａｒｄ  Ｄｉｓｋ  Ｄｒｉｖｅ）が、アクセス速度が高速度化され、記録容量も大容量化されたことにより、ＨＤＤを記録媒体とした放送番組の録画再生装置が商品化されつつある。
【０００３】
ＨＤＤを記録媒体として適用した装置においては、長時間の放送番組の記録が可能であり、ＶＴＲのように、録画予約によって録画する番組を選択するような使い方ではなく、所定の期間、放送番組をそのまま垂れ流し的に録画しておいて、後で、視聴したい番組のみを選択して視聴するというような使われ方がされることが予測される。
【０００４】
視聴者は、ＨＤＤに記録された膨大な容量の番組を早送り再生等の機能を使って画面表示してその内容を確認し、真に視聴したい番組を選択する作業を行なう必要があり記録容量が多くなればなるほどその作業に要する時間が増えて取り扱いが不便になるという問題を有している。
【０００５】
また、視聴する番組を選択して実際に視聴を行なう場合においても、できるだけ短い時間でその番組の視聴を済ませてしまいたいという要求があり、従来、例えば特許文献１で提示されているように、記録した映像信号から複数の異なるタイミングの映像を読み出してそれを同じ画面で表示されるように合成して表示するようにした提案がなされている。
【０００６】
この提案では、Ｋ個の映像を同一画面で表示するものであり、記録した映像信号の内容を、通常再生時の１／Ｋの時間で確認することができる。しかしながら、再生した複数の映像信号を合成する段階で、逐次、映像信号を小画面表示させるための圧縮処理を行なう必要があるため、回路規模が大掛かりとなり、さらに圧縮処理に相当の時間を要して応答性の劣化を招くという問題があった。また、特許文献１では、複数の異なるタイミングの映像信号を同一画面で表示し、その中からユーザが選択した映像を、単独で大きなサイズで表示するように切換えるという使い方がなされるものであり、一旦単独の映像を表示するように切換えた場合には、他のタイミングの映像の内容を確認できないという問題もある。
【０００７】
【特許文献１】
特開２００２−１１８８０２号公報（第４頁、第５頁［００２８］、図１、図２）
【０００８】
【発明が解決しようとする課題】
以上のように、従来、録画された映像信号の複数の異なるタイミングの映像信号を再生して同一画面で表示できるように合成して表示するようにした提案がなされているが、操作性及びコストパフォーマンスの点で満足のできる装置がなく改善が要望されている。
【０００９】
本発明は、以上の点に対処してなされたものであり、記録媒体に非圧縮で記録された映像信号に対して、その映像信号を小画面表示用に圧縮して記録し、再生して非圧縮の映像信号と同じ画面で表示するようにすることで、操作性と応答性を改善した録画再生装置及び録画再生方法を提供することを目的とする。
【００１０】
【課題を解決するための手段】
本発明の録画再生装置は、映像信号を入力する映像信号入力手段と、前記入力された映像信号を記録媒体に記録する記録手段と、前記記録媒体に記録された映像信号を再生する再生手段と、前記再生された映像信号を当該映像信号より小さい画面で表示されるように圧縮する圧縮手段と、前記圧縮された映像信号を記録媒体に記録する圧縮映像信号記録手段と、前記再生手段による前記記録媒体からの映像信号の再生に同期して、当該再生映像信号に基づく圧縮映像信号を前記記録媒体から再生する圧縮映像信号再生手段と、前記再生される映像信号と前記圧縮映像信号を合成して両映像信号が同一画面で表示可能となるように処理する処理手段と、前記処理手段で合成された映像信号を表示に供すべく出力する映像出力手段と、を具備したことを特徴とする。
【００１１】
本発明によれば、再生中の映像信号を表示すると共に、その映像信号と同じ映像の複数の所定タイミングの小画面映像を逐次圧縮処理を行なうことなく同時に表示できるため、操作性と応答性を改善することができる。
本発明の録画再生装置は、映像信号を入力する映像信号入力手段と、前記入力された映像信号を記録媒体に記録する記録手段と、前記入力された映像信号を当該映像信号より小さい画面で表示されるように圧縮する圧縮手段と、前記圧縮された映像信号を記録媒体に記録する圧縮映像信号記録手段と、前記記録媒体に記録された映像信号を再生する再生手段と、前記再生手段によって前記記録媒体から映像信号を再生する際に、当該再生映像信号に基づく圧縮映像信号を前記記録媒体から再生すると共に前記再生される映像信号と前記圧縮映像信号を合成して両映像信号が同一画面で表示可能となるように処理する処理手段と、前記処理手段で合成された映像信号を表示に供するために出力する映像出力手段と、を具備したことを特徴とする。
【００１２】
本発明によれば、再生中の映像信号を表示すると共に、その映像信号と同じ映像の複数の所定タイミングの小画面映像を逐次圧縮処理を行なうことなく同時に表示できるため、操作性と応答性を改善することができる。
本発明の録画再生方法は、非圧縮映像信号を記録媒体に記録するステップと、記録媒体に記録された映像信号を再生して圧縮し、圧縮映像信号を記録媒体に記録するステップと、非圧縮映像を記録媒体から再生すると共に、当該非圧縮映像信号の圧縮映像信号を記録媒体から再生して両映像信号を合成するステップと、合成された映像信号を表示するステップと、を具備したことを特徴とする。
【００１３】
本発明によれば、再生中の映像信号を表示すると共に、その映像信号と同じ映像の複数の所定タイミングの小画面映像を逐次圧縮処理を行なうことなく同時に表示できるため、操作性と応答性を改善することができる。
本発明の録画再生方法は、非圧縮映像信号を記録媒体に記録するステップと、前記非圧縮映像信号を圧縮し、当該圧縮映像信号を記録媒体に記録するステップと、非圧縮映像を記録媒体から再生すると共に、当該非圧縮映像信号の圧縮映像信号を記録媒体から再生して両映像信号を合成するステップと、合成された映像信号を表示するステップと、を具備したことを特徴とする。
【００１４】
本発明によれば、再生中の映像信号を表示すると共に、その映像信号と同じ映像の複数の所定タイミングの小画面映像を逐次圧縮処理を行なうことなく同時に表示できるため、操作性と応答性を改善することができる。
【００１５】
【発明の実施の形態】
以下、図面を参照しながら本発明の実施の形態を詳細に説明する。
図１は、本発明の録画再生装置１０の回路ブロック図である。図１において、アンテナ１１で受信されたテレビジョン放送信号は、アンテナ入力端子１２を介してチューナ部１３に供給され、ここで所望チャンネルの選局と、受信周波数のダウンコンバージョンが行なわれる。チューナ部１３で選局されて出力される受信信号は、復調部１４に供給されて映像信号と音声信号が復調される。復調された映像信号は表示切換え部１５と表示合成部１６を介して表示部１７に供給されて表示される。
【００１６】
チューナ１３の選局動作については、ユーザによる操作部１８の操作によって制御部１９に制御信号が供給され、制御部１９からチューナ１３に対して選局信号が供給されることで実行される。操作部１８は例えば、図示しないリモートコントロールハンドユニットからのリモコン信号を受信してそれを復号し、コマンド信号を制御部１９に供給するリモコン信号受信部として構成することができる。あるいは、操作部１８は、装置１０の例えば前面パネルに配設された複数の操作釦で構成することも可能である。
【００１７】
録画再生装置１０は、さらに、受信した放送番組を録画するための例えばＨＤＤで構成される記録媒体２０と、この記録媒体２０へ信号を記録し、かつ記録した信号を再生するための記録再生部２１を有する。記録再生部２１には復調部１４で復調された映像信号及び音声信号が供給され、制御部１９の制御によって、それら信号を記録媒体２０へ記録するように動作する。
【００１８】
記録媒体２０への記録動作は、ユーザによる操作部１８の操作によって、制御部１９にコマンドを送り、制御部１９が記録再生部２１を制御することで実行される。あるいはまた、所定の放送時刻に対応させて記録再生部２１を制御し、記録動作が実行されるように、予め、制御部１９に対して録画予約しておくことも可能である。予約録画を実行させるために、制御部１９は図示しないメモリと、時計機能を備える。
【００１９】
記録媒体２０に記録された信号を再生する場合、操作部１８の操作によって制御部１９にコマンドを送り、制御部１９が記録再生部２１にアドレス情報を与えることで、記録媒体２０の当該アドレスに記録された信号が再生される。再生された映像信号は、表示切換え部１５に供給される。
【００２０】
再生動作を行なう際には、表示切換え部１５は記録再生部２１からの映像信号を選択するように切換えられており、記録媒体２０から再生された映像信号は、表示切換え部１５と表示合成部１６を介して表示部１７に供給されて表示される。なお、記録媒体２０からは、当然音声信号も再生されるが、音声信号については、図示しない音声信号処理部とスピーカ等で構成される音声出力部を介して出力されるものである。
【００２１】
録画再生装置１０は、さらに記録媒体２０から再生された映像信号を所定のサイズの子画面表示用に圧縮処理する子画面映像生成部２２と、処理された子画面映像信号が記録される子画面記録媒体２３と、子画面記録媒体２３に対して圧縮処理された映像信号を記録し、かつ再生するための子画面記録再生部２４を有する。子画面記録媒体２３は、ＨＤＤ等で構成することができる。また、子画面記録媒体２３は、記録媒体２０の記録領域の一部を利用することもでき、その場合は子画面記録媒体２３は記録媒体２０と一体に構成されるが、図１では説明を理解し易くするために記録媒体２０とは別構成としている。
【００２２】
子画面記録媒体２３への記録動作は、まず制御部１９が記録再生部２１を制御して、記録媒体２０から映像信号を再生し、再生した映像信号を記録再生部２１から子画面映像生成部２２に送って、ここで所定画面サイズとなるように水平方向、垂直方向に圧縮して子画面映像信号を生成する。制御部１９は、子画面記録再生部２４を制御して、子画面映像生成部２２で生成された子画面映像信号を子画面記録媒体２３の所定のアドレスに記録する。
【００２３】
子画面記録媒体２３に記録される子画面映像信号は、記録媒体２０に記録された映像信号と同じものが圧縮処理されたものであり、当然ながら一度記録されれば、新たな記録は必要がなくなる。したがって、記録動作に移る前に、記録媒体２０に記録された映像信号のうち、圧縮されて子画面記録媒体２３に記録されていない映像信号があるか否かの判定を行い、圧縮記録されていない映像信号が存在したら、制御部１９を制御してそれを記録するように構成する。
【００２４】
子画面記録媒体２３からの子画面映像信号の再生は、制御部１９の制御の下、記録媒体２０からの再生と同時に行なわれる。すなわち、記録媒体２０から映像信号が再生されることによって、その再生される映像信号を圧縮して記録した子画面映像信号が子画面記録媒体２３から再生される。その際、子画面記録再生部２４は、子画面記録媒体２３から、その子画面映像信号を記録先頭から所定間隔で複数、順次読み出してこれを表示合成部１６に供給する。
【００２５】
表示合成部１６では、記録媒体２０から再生された映像信号が表示切換え部１５を介して供給されており、ここで記録媒体２０から再生された映像信号と、複数の子画面映像とが同じ画面で表示されるように合成され、表示部１７に供給されて表示される。
【００２６】
録画再生装置１０は、さらに制御部１９によって制御されるカーソル生成部２５を有し、カーソル生成部２５で生成されたカーソルは表示合成部１６に供給され、他の映像信号と合成されて表示部１７に供給される。カーソルは、例えば記録媒体２０に記録された複数の番組から目的の番組を選択したり、あるいは再生中の複数の小画面のどれかを選択して、記録媒体２０から再生される映像信号のシーンを切換えたりする際に用いられる。このため、カーソル生成部２５で生成されるカーソルは操作部１８によって駆動される。
【００２７】
次に、以上のように構成された装置の動作について説明する。
記録媒体２０への番組の記録は、前述のように、ユーザによる操作部１８の操作で実行されるか、あるいは録画予約によって実行される。
次に、制御部１９は、記録媒体２０に記録された映像信号を子画面表示可能に圧縮処理した子画面映像信号が子画面記録媒体２３に記録されているか否かを判定する。判定の結果、子画面映像が未記録の映像信号があると認識されたら、制御部１９は、記録再生部２１を駆使してその映像信号を記録媒体２０から読み出し、子画面映像生成部２２で圧縮処理を施する。そして、圧縮処理された子画面映像信号を、子画面記録再生部２４を駆使して子画面記録媒体２３に記録させる。この、記録媒体２０からの映像信号の再生処理と、再生した映像信号の圧縮及び子画面記録媒体２３への記録処理は、記録媒体２０と子画面記録媒体２３が休止している最中に実行することが望ましく、そのための処理フローを図２に示す。
【００２８】
図２において、ステップ２ａで開始され、ステップ２ｂで記録媒体２０への録画が実行中か否かの判定がなされ、録画実行中であるなら、ステップ２ｃで録画を継続し、ステップ２ｂに戻る。ステップ２ｂで録画実行中でないと判定されたら、ステップ２ｄで記録媒体２０に録画済み番組の中に、未圧縮番組、すなわち子画面記録されていない番組があるか否かが判定され、子画面記録されていない番組はないと判定されたら、ステップ２ｅで処理を終了する。
【００２９】
ステップ２ｄで子画面記録されていない番組があると判定されたら、ステップ２ｆで未子画面記録番組を再生し、ステップ２ｇで再生した映像信号を圧縮して子画面映像を生成し、それをステップ２ｈで記録する。次いで、ステップ２ｄに戻って他に子画面記録されていない録画済み番組があるかないかの判定を行なう。以降その繰り返しである。
【００３０】
以上のように、処理することで、記録媒体２０の休止中に、記録媒体２０に記録された未圧縮記録番組の再生とその再生映像信号の子画面化処理及び子画面記録媒体２３への記録が実行され、子画面映像信号が確実に記録されるようになるものである。
【００３１】
次に、記録媒体２０及び子画面記録媒体２３からの再生動作について詳細に説明する。
記録媒体２０は、記録されている全ての番組の番組情報を記録する領域を有し、再生に際しては、制御部１９によってまずその記録済み番組情報のリストを読み出すように記録再生部２１が制御され、記録済みの番組リストが再生されて、表示部１７で表示される。
【００３２】
ユーザは、操作部１８を操作して表示されたリストから再生したい番組を選択する。その結果、制御部１９は、選択された番組を記録媒体２０から再生するように記録再生部２１に対してアドレス情報を与え、その番組が記録媒体２０から再生される。それと同時に、制御部１９は、子画面記録再生部２４にアドレス情報を与え、子画面記録媒体２３から、記録媒体２０から再生される映像に基づいて生成された子画面映像を再生する。子画面記録媒体２３からの再生は、例えば、記録媒体２０から再生されている映像に対して、その３０秒後毎の映像の子画面映像を順次再生し、それらを表示合成部で１６で合成して表示部１７で表示させる。
【００３３】
そのように構成された画面の例を図３に示す。図３において、画面３０の中央部には、記録媒体２０から再生された映像信号が主画面３１として表示され、その左右両側には、子画面記録媒体２３から再生された子画面が３画面分づつ６個の子画面３２〜３７として表示される。
【００３４】
画面の左上に表示された子画面３２は、画面３１で表示されている記録媒体２０から再生されて表示されている映像の３０秒後の静止画または動画であり、左中央に表示された子画面３３は、画面３１で表示中の映像の６０秒後の静止画または動画であり、左下に表示された子画面３４は、画面３１で表示中の映像の９０秒後の静止画または動画である。
【００３５】
同様に、画面の右上に表示された子画面３５は、画面３１で表示されている記録媒体２０から再生されて表示されている映像の１２０秒後の静止画または動画であり、右中央に表示された子画面３６は、画面３１で表示中の映像の１５０秒後の静止画または動画であり、右下に表示された子画面３７は、画面３１で表示中の映像の１８０秒後の静止画または動画である。
【００３６】
このように、子画面３２〜３７では、主画面３１で表示されている記録媒体２０から再生された非圧縮の映像信号に対して、３０秒おき毎の静止画あるいは動画が表示される。
ユーザは、図３に示す画面を見ながら、例えばカーソルで、主画面として表示したい子画面を選択することで、その子画面に対応する映像が記録媒体２０から再生されて主画面３１として表示される。同時に子画面３２〜３７の表示も、主画面表示されている映像から、３０秒後毎のの静止画あるいは動画となるように子画面記録再生部２３が制御部１９によって制御される。すなわち、例えば、６０秒後の子画面が選択された場合、記録媒体２０の再生アドレスが６０秒後の映像のアドレスに切換えられ、子画面の記録媒体２３の再生アドレスも、その３０秒後〜１８０秒後のものに切換えられる。
【００３７】
以上のように、記録媒体２０から再生された非圧縮の映像を表示しつつ、その非圧縮の映像に先行する映像を所定時間間隔で複数の子画面として表示して確認することができるので、特に詳細に視聴したいシーンと、飛ばしたいシーンを確実に簡単に認識できるようになり、操作性が向上するものである。
【００３８】
また、子画面から、主画面として表示したいシーンを選択して表示を切換えた際に、子画面として表示される映像は既に圧縮されて子画面記録媒体２３に記録されているため、画面切換の都度、圧縮処理をすることなく、画面を瞬時に切換えることができるため実用に耐える応答性能を得ることができるものである。
【００３９】
なお、以上の説明では、主画面に対する子画面の時間関係を、３０秒後毎としたが、その時間は任意に設定することができるものである。
図４に再生の動作を説明するフローチャートを示す。
図４において、ステップ４ａで開始され、ステップ４ｂで記録媒体２０に記録された番組の中で、再生したい番組を選択する。次いでステップ４ｃで選択した番組を、その番組が非圧縮で記録されている記録媒体２０から再生する。この再生はその番組の記録先端から順次実施される。次いでステップ４ｄで再生中の非圧縮映像に対して、ｎ秒間隔で続くｍ個の静止画あるいは動画を子画面記録媒体２３から再生する。次に、ステップ４ｅで再生した非圧縮映像と子画面映像を表示合成部１６で合成して表示部１７で表示する。次にステップ４ｆで番組（の非圧縮映像）の再生が終了したか否かの判定がなされ、終了した場合ステップ４ｇで処理を終了する。ステップ４ｆで番組（の非圧縮映像）の再生がまだ終了していないと判定された場合、ステップ４ｈで表示部１７で表示された再生画面に含まれる子画面のどれかが選択されたか否かが判定され、子画面のいずれも選択されなかったらステップ４ｄに戻って、処理が継続される。すなわち、記録媒体２０から引き続き非圧縮の映像信号が再生されると共に、その再生中の非圧縮映像に対して、ｎ秒間隔でｍ個の静止画あるいは動画が再生され、非圧縮映像とｍ個の子画面が合成されて表示される。
【００４０】
ステップ４ｈで、どれかの子画面が選択されたと判定された場合、ステップ４ｉで、記録媒体２０の再生アドレスが、選択された子画面に対応したものに切換えられ、ステップ４ｄに戻る。それによって子画面の表示も切換えられた非圧縮映像に対して、ｎ秒間隔でｍ個の静止画あるいは動画となる。
【００４１】
以上のように構成することにより、例えば、３０秒間隔での小画面を６枚表示することで、主画面より常に３分先までの映像を同時に表示して確認することができるため、番組の途中でコマーシャルが入った場合に、そのコマーシャルの開始位置と終了位置を容易に察知することが可能である。そして、察知したその位置をカーソルによってマーキングすることで、アドレス情報を記憶させ、次回以降の再生時にマーキングしたコマーシャル部分をスキップさせて再生することもできるようになる。この機能は、コマーシャルのスキップに限らず、重要なシーンにしおりを付けておいて、再生時に頭出しを行なう等、色々な使い方ができる。
【００４２】
以上説明した実施の形態では、子画面映像を子画面記録媒体２３からｎ秒間隔で順次読出して、非圧縮の映像と合成するものとしたが、子画面記録媒体２３への記録の際に、複数の子画面映像を組み合わせて非圧縮の画面と同じサイズの画面を構成するような形態で記録しておけば、再生のときは、単に子画面記録媒体から読出して、非圧縮の映像と合成するだけでよいため、処理が簡単になる。
【００４３】
図５は、複数の子画面映像を非圧縮画面の一部を構成するように組み込んで、表示部１７で表示される画面（プレーン）映像を生成する処理を説明するための図である。
例えば、３０秒間隔で小画面を並べて動画のリアルタイム再生を行なう場合には、小画面１個あたり１８００（フィールド換算）の記憶領域が必要で、画面全体で６枚の小画面を表示させたい場合には、図５に示すように、画面の両サイドにそれぞれ３枚、計６枚の小画面を貼り付けたプレーンが全部で１８００枚必要になる。図５（ａ）のプレーンは、ある時刻より、３０秒後、６０秒後、９０秒後、１２０秒後、１５０秒後の静止画像を抽出して、これらを１枚の画像として子画面記録媒体２３に記録したものである。中央の領域は、再生時に非圧縮の主映像を嵌め込んで表示する領域として確保されており、子画面記録媒体２３には、黒レベル映像として記録される。さらに、図５（ｂ）に示すように、図５（ａ）から１Ｖ（垂直走査期間）だけ時間シフトした画像を作りこれを記録する。以下同様にして図５（ｆ）に示すように、１Ｖずつシフトした画像を１８００個まで繰り返し生成して記録する。
【００４４】
一方、記録媒体２０から再生される映像は、図６（ａ）〜（ｆ）に示すように画面中央に表示されるもので、両側は、映像信号がなく黒レベル表示される。
したがって、子画面記録媒体２３から再生された映像と、記録媒体２０から再生された映像を合成することで、図７（ａ）〜（ｆ）に示す画像を得ることができるものである。
図７において、中央の領域に、記録媒体２０から再生された現在の再生映像が表示され、両サイドに中央の表示映像に対して３０秒間隔で６枚の映像が表示され、これが３０秒継続される。
以上のように構成することによって、子画面記録媒体２３から映像を再生して、記録媒体２０から再生した映像と合成する場合に、処理を簡単に行なうことができるものである。
なお、以上説明した実施の形態では、子画面記録媒体２３への記録タイミングを、記録媒体２０へ一旦記録してしまった後、記録媒体２０から再生して圧縮処理をして記録するものとしたが、録画再生装置１０の圧縮処理を含めた処理速度が、放送番組のリアルタイムでの子画面映像記録に絶えられるものであれば、記録媒体２０への番組の記録と同時に圧縮処理して子画面記録媒体２３に記録するように構成することも可能である。
【００４５】
図８は、記録媒体２０への記録と同時に圧縮処理した子画面映像を子画面記録媒体２３に記録するように構成した録画再生装置５０の回路ブロック図である。図８において、図１と同じ回路部分に同じ符号を付して詳細な説明は省略する。
記録媒体２０への記録と同時に圧縮処理した子画面映像を子画面記録媒体２３に記録する場合、圧縮処理に必要な時間を確保するために復調部１４の出力を一旦蓄えるメモリが必要となる場合があり、子画面映像処理部８１はそのメモリを内蔵している。その他の構成は図１のとおりであり、再生処理も図１で説明したものと同じ動作で処理が行なわれるものである。
【００４６】
図９にその処理のフローチャートを示す。図９において、ステップ９ａで開始され、ステップ９ｂで録画実行中か否かの判定がなされ、録画実行中でないならば、ステップ９ｃで処理を終了する。ステップ９ｂで録画中であると判定された場合には、ステップ９ｄで録画を継続し、次いでステップ９ｅで録画中の映像信号を圧縮して子画面映像を生成する。次いで、ステップ９ｆで子画面映像を子画面記録媒体２３に記録して、ステップ９ｂに戻る。
【００４７】
この実施の形態では、子画面記録媒体２３への記録が、記録媒体２０への記録に対して略同じタイミングで実行されるため、子画面記録媒体２３への記録のために改めて時間を割く必要がなく、装置の使い勝手が向上するものである。
以上のように、記録媒体２０から再生された非圧縮の映像を表示しつつ、その非圧縮の映像に先行する映像を所定時間間隔で複数の子画面として表示して確認することがてきるので、特に詳細に視聴したいシーンと、飛ばしたいシーンを確実に簡単に認識できるようになり、操作性が向上するものである。
【００４８】
また、子画面から、主画面として表示したいシーンを選択して表示を切換えた際に、子画面として表示される映像は既に圧縮されて子画面記録媒体２３に記録されているため、圧縮処理を都度実施する必要がなく、画面を瞬時に切換えることができるため実用に耐える応答性能を得ることができるものである。
【００４９】
【発明の効果】
以上のように、本発明の録画再生装置は、非圧縮の主画面を構成する再生映像と、その映像の異なる複数のタイミングの映像が子画面として圧縮された複数の映像を同じ画面に表示し、表示した子画面のどれかをを選択することで、選択されたその子画面を主画面として表示するように切換えるものであるため、詳細に視聴したいシーンと、飛ばしてもよいシーンを的確に認識することができ、使い勝手のよい録画再生装置を提供することができるものである。
【図面の簡単な説明】
【図１】本発明に係る、録画再生装置の一実施の形態を示すブロック図。
【図２】図１に示す装置の記録動作を説明するためのフローチャート。
【図３】図１に示す装置の動作を説明するための図。
【図４】図１に示す装置の再生動作を説明するためのフローチャート。
【図５】図１に示す装置の他の実施の形態を説明するための図。
【図６】図１に示す装置の他の実施の形態を説明するための図。
【図７】図１に示す装置の他の実施の形態を説明するための図。
【図８】本発明の録画再生装置の他の実施の形態を示す回路ブロック図。
【図９】図８に示す装置の動作を説明するためのフローチャート。
【符号の説明】
１０，８０…録画再生装置
１１…アンテナ
１２…アンテナ入力端子
１３…チューナ部
１４…復調部
１５…表示切換え部
１６…表示合成部
１７…表示部
１８…操作部
１９…制御部
２０…記録媒体
２１…記録再生部
２２，８１…子画面映像生成部
２３…子画面記録媒体
２４…子画面記録再生部
２５…カーソル生成部
【図１】
2004236074.tif 000003
【図２】
2004236074.tif 000004
【図３】
2004236074.tif 000005
【図４】
2004236074.tif 000006
【図５】
2004236074.tif 000007
【図６】
2004236074.tif 000008
【図７】
2004236074.tif 000009
【図８】
2004236074.tif 000010
【図９】
2004236074.tif 000011